(57)【要約】      （修正有）【課題】画質を向上することができる表示装置を得る。【解決手段】互いに異なる複数の視点画像の各画素情報Ｐ１〜Ｐ５を、表示面において複数の視点画像間で巡回するような順番で配置してそれぞれ表示する表示部２０と、第１の方向に延伸するとともに第２の方向に並設され、それぞれが、並設された複数の枝状電極を含んで構成された液晶バリア（開閉部１１，１２）を有するバリア部（液晶バリア部１０）とを備える。上記枝状電極の第２の方向におけるピッチｓは、次の式（Ａ）を満たす。Sin-1(λ/ｓ)〜θｔ・・・（Ａ）ただし、λは、開状態になっている一の液晶バリアを透過する光の波長であり、θｔは、第２の方向と表示面の法線方向とを含む面内における、開状態になっている複数の液晶バリアのうちの一の液晶バリアとは異なる他の液晶バリアに対応する位置に配置された一の画素と一の液晶バリアとを結ぶ線と、法線方向との間の角度である。【選択図】図１２
2013025111.tif 000002
【特許請求の範囲】
【請求項１】
互いに異なる複数の視点画像の各画素情報を、表示面においてその複数の視点画像間で巡回するような順番で配置してそれぞれ表示する表示部と、
第１の方向に延伸するとともにその第１の方向と交差する第２の方向に並設され、それぞれが、並設された複数の枝状電極を含んで構成された、開状態と閉状態とを切り換え可能な複数の液晶バリアを有するバリア部と
を備え、
前記枝状電極の前記第２の方向におけるピッチｓが、次の式（Ａ）を満たす
表示装置。
Sin-1(λ/ｓ) 〜 θｔ  ・・・  （Ａ）
ただし、
λは、開状態になっている一の液晶バリアを透過する光の波長であり、
θｔは、前記第２の方向と前記表示面の法線方向とを含む面内における、開状態になっている複数の液晶バリアのうちの前記一の液晶バリアとは異なる他の液晶バリアに対応する位置に配置された一の画素と前記一の液晶バリアとを結ぶ線と、前記法線方向との間の角度である。
【請求項２】
開状態になっている複数の液晶バリアのうち、前記一の液晶バリアは前記他の液晶バリアと隣り合っている
請求項１に記載の表示装置。
【請求項３】
前記ピッチｓが、次の式（Ｂ）を満たす
請求項１に表示装置。
θ１ ＜ Sin-1(λ/ｓ) ＜ θ２  ・・・  （Ｂ）
ただし、
θ１は、前記一の画素と隣接する画素との間の境界部分のうちの前記第２の方向における一方の境界部分と前記一の液晶バリアとを結ぶ線と、前記法線方向との間の角度であり、
θ２は、前記一の画素の前記第２の方向における他方の境界部分と前記一の液晶バリアを結ぶ線と、前記法線方向との間の角度である。
【請求項４】
前記第１の方向と前記第２の方向は、互いに垂直である
請求項１に表示装置。
【請求項５】
前記バリア部は、複数の第１系列の液晶バリアおよび複数の第２系列の液晶バリアを有する
請求項１に記載の表示装置。
【請求項６】
３次元映像表示モードおよび２次元映像表示モードを含む複数の表示モードを有し、
前記３次元映像表示モードでは、前記表示部が前記複数の視点画像を表示し、前記複数の第１系列の液晶バリアが透過状態になるとともに、前記複数の第２系列の液晶バリアが遮断状態になることにより、３次元映像を表示する
請求項５に記載の表示装置。
【請求項７】
前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
請求項６に記載の表示装置。
【請求項８】
３次元映像表示モードおよび２次元映像表示モードを含む複数の表示モードを有し、
前記２次元映像表示モードでは、前記表示部が１つの視点画像を表示し、前記複数の第１系列の液晶バリアおよび前記複数の第２系列の液晶バリアが透過状態になることにより、２次元映像を表示する
請求項５に記載の表示装置。
【請求項９】
バックライトをさらに備え、
前記表示部は液晶表示部であり、
前記液晶表示部は、前記バックライトと前記バリア部との間に配置されている
請求項１に記載の表示装置。
【請求項１０】
互いに異なる複数の視点画像の各画素情報を、表示面においてその複数の視点画像間で巡回するような順番で配置してそれぞれ表示する表示部と、
光を透過する複数の透過部分と光を遮蔽する複数の遮蔽部分とが並設されたバリア部と
を備え、
前記複数の視点画像のうちの一の視点画像に係る光であって、前記複数の透過部分のうちの一の透過部分に対応する位置に配置された画素から射出し前記一の透過部分を透過した第１の光が、前記一の視点画像に係る、前記複数の透過部分のうちの前記一の透過部分とは異なる他の透過部分に対応する位置に配置された画素から射出し前記一の透過部分を直進する第２の光の直進方向に沿うように屈曲する
表示装置。
【請求項１１】
前記一の透過部分は前記他の透過部分と隣り合っている
請求項１０に記載の表示装置。
【発明の詳細な説明】
【技術分野】
【０００１】
本開示は、立体視表示が可能なパララックスバリア方式の表示装置に関する。
【背景技術】
【０００２】
近年、立体視表示を実現できる表示装置が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような表示装置は、専用の眼鏡が必要なものと、不要なものとに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。例えば、特許文献１には、バリアとして液晶素子を用いた、パララックスバリア方式の表示装置が開示されている。
【０００４】
ところで、液晶表示装置（ＬＣＤ：Liquid Crystal Display）では、例えばＶＡ（Vertical Alignment）モードの液晶がしばしば用いられている。例えば、特許文献２には、画素電極に複数のスリットを設け、液晶分子を所望の方向に配向しやすくする液晶表示装置が提案されている。
【先行技術文献】
【特許文献】
【０００５】
【特許文献１】特開平３−１１９８８９号公報
【特許文献２】特開２００２−１０７７３０号公報
【発明の概要】
【発明が解決しようとする課題】
【０００６】
ところで、一般に、表示装置では、高い画質が望まれており、パララックスバリア方式の表示装置でも、画質の向上が望まれている。
【０００７】
本開示はかかる問題点に鑑みてなされたもので、その目的は、画質を向上することができる表示装置を提供することにある。
【課題を解決するための手段】
【０００８】
本開示の第１の表示装置は、表示部と、バリア部とを備えている。表示部は、互いに異なる複数の視点画像の各画素情報を、表示面においてその複数の視点画像間で巡回するような順番で配置してそれぞれ表示するものである。バリア部は、第１の方向に延伸するとともにその第１の方向と交差する第２の方向に並設され、それぞれが、並設された複数の枝状電極を含んで構成された、開状態と閉状態とを切り換え可能な複数の液晶バリアを有するものである。上記枝状電極の第２の方向におけるピッチｓは、次の式（Ａ）を満たすものである。
Sin-1(λ/ｓ) 〜 θｔ  ・・・  （Ａ）
ただし、
λは、開状態になっている一の液晶バリアを透過する光の波長であり、
θｔは、第２の方向と表示面の法線方向とを含む面内における、開状態になっている複数の液晶バリアのうちの一の液晶バリアとは異なる他の液晶バリアに対応する位置に配置された一の画素と一の液晶バリアとを結ぶ線と、法線方向との間の角度である。
【０００９】
本開示の第２の表示装置は、表示部と、バリア部とを備えている。表示部は、互いに異なる複数の視点画像の各画素情報を、表示面においてその複数の視点画像間で巡回するような順番で配置してそれぞれ表示するものである。バリア部は、光を透過する複数の透過部分と光を遮蔽する複数の遮蔽部分とが並設されたものである。ここで、複数の視点画像のうちの一の視点画像に係る光であって、複数の透過部分のうちの一の透過部分に対応する位置に配置された画素から射出し一の透過部分を透過した第１の光は、一の視点画像に係る、複数の透過部分のうちの一の透過部分とは異なる他の透過部分に対応する位置に配置された画素から射出し一の透過部分を直進する第２の光の直進方向に沿うように屈曲するものである。
【００１０】
本開示の第１の表示装置では、液晶バリアを透過状態にすることにより、表示部に表示された複数の視点画像が観察者に視認される。この表示装置では、ピッチｓは、式（Ａ）を満たすように設定されている。
【００１１】
本開示の第２の表示装置では、液晶バリアを透過状態にすることにより、表示部に表示された複数の視点画像が観察者に視認される。その際、一の視点画像に係る第１の光は、その同じ一の視点画像に係る、他の透過部分に対応する位置に配置された画素から射出し一の透過部分を直進する第２の光の直進方向に沿うように屈曲する。
【発明の効果】
【００１２】
本開示の第１の表示装置によれば、式（Ａ）を満たすようにピッチｓを設定したので、画質を向上することができる。
【００１３】
本開示の第２の表示装置によれば、一の視点画像に係る第１の光が、その同じ一の視点画像に係る、他の透過部分に対応する位置に配置された画素から射出し一の透過部分を直進する第２の光の直進方向に沿うように屈曲するようにしたので、画質を向上することができる。
【図面の簡単な説明】
【００１４】
【図１】本開示の実施の形態に係る立体表示装置の一構成例を表すブロック図である。
【図２】図１に示した立体表示装置の一構成例を表す説明図である。
【図３】図１に示した表示駆動部の一構成例を表すブロック図である。
【図４】図１に示した表示部の一構成例を表す説明図である。
【図５】図１に示した液晶バリア部の一構成例を表す説明図である。
【図６】図５に示した透明電極層の一構成例を表す平面図である。
【図７】図１に示した表示部および液晶バリア部の関係を表す模式図である。
【図８】映像信号の画素情報の配列の一例を表す説明図である。
【図９】図１に示した立体表示装置の一動作例を表す模式図である。
【図１０】図１に示した立体表示装置における屈曲光を説明するための模式図である。
【図１１】図１に示した立体表示装置における表示例を表す模式図である。
【図１２】図１に示した立体表示装置における他の表示例を表す模式図である。
【図１３】図１に示した立体表示装置における屈曲光の進行方向を説明するための模式図である。
【図１４】比較例に係る立体表示装置における屈曲光を説明するための模式図である。
【図１５】比較例に係る立体表示装置における表示例を表す模式図である。
【図１６】変形例に係る立体表示装置における屈曲光を説明するための模式図である。
【図１７】変形例に係る立体表示装置における屈曲光の進行方向を説明するための模式図である。
【図１８】他の変形例に係る立体表示装置の液晶バリア部の一例を表す平面図である。
【図１９】他の変形例に係る立体表示装置の透明電極層の一構成例を表す平面図である。
【発明を実施するための形態】
【００１５】
以下、本開示の実施の形態について、図面を参照して詳細に説明する。
【００１６】
［構成例］
（全体構成例）
図１は、実施の形態に係る立体表示装置の一構成例を表すものである。立体表示装置１は、液晶バリアを用いた、パララックスバリア方式の表示装置である。立体表示装置１は、制御部４１と、バックライト駆動部４２と、バックライト３０と、表示駆動部５０と、表示部２０と、バリア駆動部４３と、液晶バリア部１０とを備えている。
【００１７】
制御部４１は、外部より供給される映像信号Ｓdispに基づいて、バックライト駆動部４２、表示駆動部５０、およびバリア駆動部４３に対してそれぞれ制御信号を供給し、これらがお互いに同期して動作するように制御する回路である。具体的には、制御部４１は、バックライト駆動部４２に対してバックライト制御信号ＣＢＬを供給し、表示駆動部５０に対して映像信号Ｓdispに基づく映像信号Ｓを供給し、バリア駆動部４３に対してバリア制御信号ＣＢＲを供給するようになっている。映像信号Ｓは、立体表示装置１が通常表示（２次元表示）を行う場合には、１つの視点映像を含む映像信号Ｓ２Ｄであり、立体表示装置１が立体視表示を行う場合には、後述するように、複数（この例では５つ）の視点映像を含む映像信号Ｓ３Ｄである。
【００１８】
バックライト駆動部４２は、制御部４１から供給されるバックライト制御信号ＣＢＬに基づいてバックライト３０を駆動するものである。バックライト３０は、表示部２０に対して面発光した光を射出する機能を有している。バックライト３０は、例えば、ＬＥＤ（Light Emitting Diode）や、ＣＣＦＬ（Cold Cathode Fluorescent Lamp）などを用いて構成されるものである。
【００１９】
表示駆動部５０は、制御部４１から供給される映像信号Ｓに基づいて表示部２０を駆動するものである。表示部２０は、この例では液晶表示部であり、液晶表示素子を駆動して、バックライト３０から射出した光を変調することにより表示を行うようになっている。
【００２０】
バリア駆動部４３は、制御部４１から供給されるバリア制御信号ＣＢＲに基づいて、液晶バリア部１０を駆動するものである。液晶バリア部１０は、バックライト３０から射出し表示部２０を透過した光を透過（開動作）または遮断（閉動作）するものであり、液晶を用いて構成された複数の開閉部１１，１２（後述）を有している。
【００２１】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２２】
（表示駆動部５０および表示部２０）
図３は、表示駆動部５０のブロック図の一例を表すものである。表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４１から供給された映像信号Ｓを映像信号Ｓ１としてデータドライバ５３へ供給するものである。ゲートドライバ５２は、タイミング制御部５１によるタイミング制御に従って、表示部２０内の画素Ｐixを行ごとに順次選択して、線順次走査するものである。データドライバ５３は、表示部２０の各画素Ｐixへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐixへ供給するようになっている。
【００２３】
図４は、表示部２０の一構成例を表すものであり、（Ａ）は画素Ｐixを構成するサブ画素ＳＰixの回路図の一例を示し、（Ｂ）は表示部２０の断面構成を示す。
【００２４】
画素Ｐixは、赤色（Ｒ）、緑色（Ｇ）、青色（Ｂ）にそれぞれ対応する３つのサブ画素ＳＰixを有している。各サブ画素ＳＰixは、図４（Ａ）に示したように、ＴＦＴ（Thin Film Transistor）素子Ｔｒと、液晶素子ＬＣと、保持容量素子Ｃｓを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃｓの一端に接続されている。液晶素子ＬＣは、一端がＴＦＴ素子Ｔｒのドレインに接続され、他端は接地されている。保持容量素子Ｃｓは、一端がＴＦＴ素子Ｔｒのドレインに接続され、他端は保持容量線ＣＳＬに接続されている。ゲート線ＧＣＬはゲートドライバ５２に接続され、データ線ＳＧＬはデータドライバ５３に接続されている。
【００２５】
表示部２０は、図４（Ｂ）に示したように、駆動基板２０７と対向基板２０８との間に、液晶層２０３を封止したものである。駆動基板２０７は、透明基板２０１と、画素電極２０２と、偏光板２０６ａとを有している。透明基板２０１は、上記ＴＦＴ素子Ｔｒを含む画素駆動回路（図示せず）が形成されたものであり、この透明基板２０１上には、画素Ｐｉｘ毎に画素電極２０２が配設されている。そして、透明基板２０１の、画素電極２０２が配設された面とは反対の面には、偏光板２０６ａが貼り付けられている。対向基板２０８は、透明基板２０５と、対向電極２０４と、偏光板２０６ｂとを有している。透明基板２０５には、図示しないカラーフィルタやブラックマトリクスが形成されており、更に液晶層２０３側の面には、対向電極２０４が各画素Ｐｉｘに共通の電極として配設されている。透明基板２０５の、対向電極２０４が配設された面とは反対の面には、偏光板２０６ｂが貼り付けられている。偏光板２０６ａおよび偏光板２０６ｂは、互いにクロスニコルまたはパラレルニコルとなるように貼り合わせられている。
【００２６】
（液晶バリア部１０およびバリア駆動部４３）
図５は、液晶バリア部１０の一構成例を表すものであり、（Ａ）は液晶バリア部１０の平面図を示し、（Ｂ）は（Ａ）の液晶バリア部１０のＶ−Ｖ矢視方向の断面構成を示す。なお、この例では、液晶バリア部１０はノーマリーブラック動作を行うものとする。つまり、液晶バリア部１０は、駆動されていない状態では光を遮断するものとする。
【００２７】
液晶バリア部１０は、いわゆるパララックスバリアであり、図５（Ａ）に示したように、光を透過または遮断する複数の開閉部（液晶バリア）１１，１２を有している。これらの開閉部１１および開閉部１２は、この例ではＹ方向に延在して設けられている。この例では、開閉部１１の幅Ｅ１と、開閉部１２の幅Ｅ２とは、互いに異なっており、ここでは例えばＥ１＞Ｅ２となっている。但し、開閉部１１，１２の幅の大小関係はこれに限定されず、Ｅ１＜Ｅ２であってもよく、また、Ｅ１＝Ｅ２であってもよい。これらの開閉部１１，１２は、液晶層（後述する液晶層１９）を含んで構成されており、この液晶層１９への駆動電圧によって、開閉が切り替わるようになっている。これらの開閉部１１，１２は、後述するように、立体表示装置１が通常表示（２次元表示）および立体視表示のどちらを行うかにより、異なる動作を行う。具体的には、開閉部１１は、後述するように、通常表示の際には開状態（透過状態）になり、立体視表示を行う際には、閉状態（遮断状態）となるものである。また、開閉部１２は、常に開状態（透過状態）となるものである。
【００２８】
液晶バリア部１０は、図５（Ｂ）に示したように、駆動基板３１０と、対向基板３２０との間に液晶層３００を備えたものである。
【００２９】
駆動基板３１０は、透明基板３１１と、透明電極層３１２と、偏光板３２３とを備えている。透明基板３１１は、例えばガラス等から構成されるものであり、その表面には、図示しないＴＦＴが形成されている。透明基板３１１の液晶層３００側の面には、例えばＩＴＯなどからなる透明電極層３１２が形成され、さらにその上には、図示しない配向膜が形成されている。また、透明基板３１１の、これらの透明電極層３１２などが形成された面とは反対の面には、偏光板３１３が貼り付けられている。
【００３０】
対向基板３２０は、透明基板３２１と、透明電極層３２２と、偏光板３２３とを備えている。透明基板３２１は、透明基板３１１と同様に、例えばガラス等から構成されるものである。透明基板３２１の液晶層３００側の面には、透明電極層３２２が形成されている。この透明電極層３２２は、全面にわたって一様に形成された電極であり、透明電極層３１２と同様に、例えばＩＴＯ等の透明導電膜により構成されている。そして、この透明電極層３２２の上には、図示しない配向膜が形成されている。また、透明基板３２１の、これらの透明電極層３２２などが形成された面とは反対の面には、偏光板３２３が貼り付けられている。偏光板３１３および偏光板３２３は、互いにクロスニコルになるように貼り合わせられている。具体的には、例えば、偏光板３１３の透過軸は水平方向Ｘに配置され、偏光板３２３の透過軸は垂直方向Ｙに配置されている。
【００３１】
液晶層３００は、例えば、負の誘電率異方性を有する液晶分子を含むものであり、配向膜により、垂直配向されるものである。
【００３２】
透明電極層３１２は、複数の透明電極１１０，１２０を有している。これらの透明電極１１０，１２０は、バリア駆動部４３により駆動されるようになっている。また、透明電極層３２２は、各透明電極１１０，１２０に共通の電極として設けられている。この例では、透明電極層３２２には、バリア駆動部４３により、共通信号Ｖcom（この例では０Ｖの直流電圧）が印加される。透明電極層３１２の透明電極１１０と、液晶層３００および透明電極層３２２におけるその透明電極１１０に対応する部分とは、開閉部１１を構成している。同様に、透明電極層３１２の透明電極１２０と、液晶層３００および透明電極層３２２におけるその透明電極１２０に対応する部分とは、開閉部１２を構成している。
【００３３】
この構成により、透明電極層３１２（透明電極１１０，１２０）および透明電極層３２２に電圧を印加してその電位差が大きくなると、液晶層３００における光の透過率が増大し、開閉部１１，１２は透過状態（開状態）になる。一方、その電位差が小さくなると、液晶層３００における光の透過率が減少し、開閉部１１，１２は遮断状態（閉状態）となる。
【００３４】
なお、この例では、液晶バリア部１０はノーマリーブラック動作を行うものとしたが、これに限定されるものではなく、これに代えて、例えばノーマリーホワイト動作を行うものであってもよい。この場合には、液晶層３００に印加される電圧の電位差が大きくなると、開閉部１１，１２は遮断状態となり、その電位差が小さくなると、開閉部１１，１２は透過状態となる。
【００３５】
図６は、液晶バリア部１０における透明電極層３１２の一構成例を表すものである。
【００３６】
透明電極１１０，１２０は、それぞれ、開閉部１１，１２の延伸方向と同じ方向（垂直方向Ｙ）に延伸する幹部分６１を有している。透明電極１１０，１２０には、それぞれ、幹部分６１の延伸方向に沿って複数のサブ電極領域７０が並設されている。各サブ電極領域７０は、幹部分６２と、枝部分６３とを有している。幹部分６２は、幹部分６１と交差する方向に延伸するように形成されており、この例では、水平方向Ｘの方向に延伸している。並設された複数の枝部分６３は、互いに隣接する枝部分６３との間にスリットを構成する。各サブ電極領域７０には、幹部分６１および幹部分６２により区切られた４つの枝領域（ドメイン）７１〜７４が設けられている。
【００３７】
枝部分６３は、各枝領域７１〜７４において、幹部分６１，６２から延びるように形成されている。枝部分６３のライン幅は互いに等しくなっており、同様にスリット幅も互いに等しくなっている。枝部分６３は、枝領域７１〜７４のそれぞれにおいて同じ方向に延伸している。枝領域７１の枝部分６３の延伸方向と、枝領域７３の枝部分６３の延伸方向とは、垂直方向Ｙを軸として線対称になっており、同様に、枝領域７２の枝部分６３の延伸方向と、枝領域７４の枝部分６３の延伸方向とは、垂直方向Ｙを軸として線対称になっている。また、枝領域７１の枝部分６３の延伸方向と、枝領域７２の枝部分６３の延伸方向とは、水平方向Ｘを軸として線対称になっており、同様に、枝領域７３の枝部分６３の延伸方向と、枝領域７４の枝部分６３の延伸方向とは、水平方向Ｘを軸として線対称になっている。この例では、具体的には、枝領域７１，７４の枝部分６３は、水平方向Ｘから反時計まわりに所定の角度φだけ回転させた方向に延伸しており、枝領域７２，７３の枝部分６３は、水平方向Ｘから時計まわりに所定の角度φだけ回転させた方向に延伸している。角度φは、例えば４５度が望ましい。
【００３８】
このように構成することにより、観察者が立体表示装置１の表示画面を観察する際、左方向および右方向から観察したときの視野角特性を対称にすることができるとともに、上方向および下方向から観察したときの視野角特性を対称にすることができる。
【００３９】
図７は、立体視表示および通常表示（２次元表示）を行う場合の液晶バリア部１０の状態を、断面構造を用いて模式的に表すものであり、（Ａ）は立体視表示を行う状態を示し、（Ｂ）は通常表示を行う状態を示す。図７に示したように、表示部２０と液晶バリア部１０とは、距離ｄだけ離れて配置されている。また、表示部２０には、画素ＰixがピクセルピッチＰで配置されている。この例では、開閉部１２は、表示部２０の５つの画素Ｐixに１つの割合で設けられている。なお、これに限定されるものではなく、これに代えて、例えば、開閉部１２を、表示部２０の５つのサブ画素ＳＰixに１つの割合で設けるようにしてもよい。図７において、斜線で示した開閉部１１は、光が遮断されている状態を示している。
【００４０】
立体視表示を行う場合には、液晶バリア部１０では、図７（Ａ）に示したように、開閉部１２が開状態（透過状態）になるとともに、開閉部１１が閉状態（遮断状態）になる。そして、表示駆動部５０は、供給された映像信号Ｓ３Ｄに基づいて表示部２０を駆動し、表示部２０は、後述するように、映像信号Ｓ３Ｄに含まれる５つの視点映像に対応する画素情報を、開閉部１２に対応した位置に配置された互いに隣接する５つの画素Ｐixにおいてそれぞれ表示するようになっている。
【００４１】
また、通常表示（２次元表示）を行う場合には、液晶バリア部１０では、図７（Ｂ）に示したように、開閉部１１および開閉部１２がともに開状態（透過状態）になる。そして、表示駆動部５０は、供給された映像信号Ｓ２Ｄに基づいて表示部２０を駆動し、表示部２０は、後述するように、映像信号Ｓ２Ｄに含まれる１つの視点映像をそのまま表示するようになっている。
【００４２】
立体表示装置１では、後述するように、枝部分６３のピッチ（図６に示した水平方向のピッチ（水平ピッチｓ））、視点映像数ｎ（この例では５）、ピクセルピッチＰ、距離ｄ、などが所定の関係式を満たすように設定されている。これにより、後述するように、例えば、開状態にある開閉部１２において光の一部が屈曲した場合でも、画質が低下しないようになっている。
【００４３】
ここで、開閉部１１，１２は、本開示における「液晶バリア」の一具体例に対応する。液晶バリア部１０は、本開示における「バリア部」の一具体例に対応する。枝部分６３は、本開示における「枝状電極」の一具体例に対応する。水平ピッチｓは、本開示における「ピッチｓ」の一具体例に対応する。
【００４４】
［動作および作用］
続いて、本実施の形態の立体表示装置１の動作および作用について説明する。
【００４５】
（全体動作概要）
まず、図１を参照して、立体表示装置１の全体動作概要を説明する。制御部４０は、外部より供給される映像信号Ｓdispに基づいて、表示駆動部５０、バックライト駆動部４２、およびバリア駆動部４３に対してそれぞれ制御信号を供給し、これらがお互いに同期して動作するように制御する。バックライト駆動部４２は、制御部４０から供給されるバックライト制御信号ＣＢＬに基づいてバックライト３０を駆動する。バックライト３０は、面発光した光を表示部２０に対して射出する。表示駆動部５０は、制御部４０から供給される映像信号Ｓに基づいて表示部２０を駆動する。表示部２０は、バックライト３０から射出した光を変調することにより表示を行う。バリア駆動部４３は、制御部４０から供給されるバリア制御信号ＣＢＲに基づいて液晶バリア部１０を駆動する。液晶バリア部１０の開閉部１１，１２は、バリア駆動部４３からの指示に基づいて開閉動作を行い、バックライト３０から射出し表示部２０を透過した光を透過または遮断する。
【００４６】
（立体視表示の詳細動作）
次に、いくつかの図を参照して、立体視表示を行う場合の詳細動作を説明する。
【００４７】
図８は、画素情報の配列を模式的に表すものであり、（Ａ）は各視点映像における画素情報の配列を示し、（Ｂ）は映像信号Ｓ３Ｄにおける画素情報の配列を示す。なお、図８（Ａ）では、視点映像の例として、１番目の視点映像における画素情報Ｐ１の配列を示したが、２番目〜５番目の視点映像における画素情報Ｐ２〜Ｐ５の配列も、図８（Ａ）と同様である。
【００４８】
１番目の視点映像では、図８（Ａ）に示したように、画素情報Ｐ１が、水平方向Ｘおよび垂直方向Ｙにマトリックス状に配置されている。具体的には、図８（Ａ）において、座標(x,y)に係る画素情報Ｐ１(x,y)の左側には、座標(x-1,y)に係る画素情報Ｐ１(x-1,y)が配置され、画素情報Ｐ１(x,y)の右側には、座標(x+1,y)に係る画素情報Ｐ１(x+1,y)が配置されている。
【００４９】
映像信号Ｓ３Ｄでは、図８（Ｂ）に示したように、立体画素情報Ｐ３Ｄがマトリックス状に配置されている。ここで、立体画素情報Ｐ３Ｄは、各視点映像における同じ座標に係る５つの画素情報を並べて配列したものである。具体的には、例えば、座標(x,y)に係る立体画素情報Ｐ３Ｄ(x,y)は、図８（Ｂ）に示したように、各視点映像における座標(x,y)に係る画素情報Ｐ１(x,y)，Ｐ２(x,y)，Ｐ３(x,y)，Ｐ４(x,y)，Ｐ５(x,y)をこの順で配置したものである。図８（Ｂ）において、立体画素情報Ｐ３Ｄ(x,y)の左側には、立体画素情報Ｐ３Ｄ(x-1,y)が配置され、立体画素情報Ｐ３Ｄ(x,y)の右側には、立体画素情報Ｐ３Ｄ(x+1,y)が配置されている。
【００５０】
図９は、表示部２０および液晶バリア部１０における立体視表示の動作例を表すものである。立体視表示を行う場合には、液晶バリア部１０では、開閉部１２が開状態（透過状態）になるとともに、開閉部１１が閉状態（遮断状態）になる。そして、表示部２０は、映像信号Ｓ３Ｄの画素情報を表示する。このとき、図９に示したように、開閉部１２付近に配置された５つの画素Ｐixが、立体画素情報Ｐ３Ｄを表示する。表示部２０の各画素Ｐixから出た光は、開閉部１２によりそれぞれ角度が制限されて出力される。これにより、観察者は、例えば左眼で画素情報Ｐ３を、右眼で画素情報Ｐ４を見ることとなる。このように、観察者が、左眼と右眼とで、画素情報Ｐ１〜Ｐ５のうちの異なる画素情報を見るため、観察者は表示映像を立体的な映像として感じることができる。
【００５１】
（開閉部１２における光の屈曲）
立体視表示を行う場合において、表示部２０から射出した光は、液晶バリア部１０の開状態になっている開閉部１２を介して、観察者に届く。その際、開閉部１２に係る透明電極１２０が、図６に示したような複数の枝部分６３を有しているため、開閉部１２に入射した光が、例えば回折や屈折などにより屈曲するおそれがある。立体表示装置１では、このように開閉部１２において光が屈曲する場合でも、観察者が画質の低下を感じにくいようになっている。以下に、その詳細を説明する。
【００５２】
図１０は、開閉部１２において光が屈曲する例を模式的に表すものである。この図１０は、立体表示装置１の水平方向と表示面の法線方向とを含む面で切断したときの断面図を用いて、光の屈曲を説明するものである。すなわち、図１０は、光の進行方向を、この切断面上に投影して説明するものである。この例では、説明の便宜上、表示部２０は、５つの視点映像のうち３つ目の視点映像（画素情報Ｐ３）のみを表示し、液晶バリア部１０は、複数の開閉部１２のうちの、一つの開閉部１２だけを透過状態にしている。
【００５３】
表示部２０に表示された画素情報Ｐ３に係る光は、液晶バリア部１０の開状態にある開閉部１２を透過して直進する。この時、図１０に示したように、表示部２０における互いに異なる画素Ｐixにそれぞれ表示された複数の画素情報Ｐ３が、開閉部１２を透過して、それぞれの方向に向かって、各画素情報Ｐ３に対応した透過光Ｔ３として直進する。これにより、各透過光Ｔ３の進行方向に対応して、図１０に示したような透過光分布ＤＴ３がそれぞれ生じる。
【００５４】
一方、開閉部１２の正面の位置に配置された画素Ｐixから射出した画素情報Ｐ３の光は、図１０において破線で示すように、開閉部１２において屈曲し、屈曲角θｄの方向に向かって屈曲光Ｄ３として進む。この屈曲角θｄは、開閉部１２における枝部分６３の水平ピッチｓ（図６）を用いて、次式のように表すことができる。
θｄ ＝ Sin-1(λ/s)      ・・・（１）
ここで、λは画素情報Ｐ３の光の波長である。
【００５５】
立体表示装置１では、この屈曲光Ｄ３の進行方向が、同じ視点映像（３番目の視点映像）に係る他の画素情報Ｐ３に係る透過光Ｔ３の進行方向とほぼ同じになる。具体的には、この例では、図１０に示したように、立体画素情報Ｐ３Ｄ(x,y)の画素情報Ｐ３に係る屈曲光Ｄ３の進行方向は、立体画素情報Ｐ３Ｄ(x,y)の隣の立体画素情報Ｐ３Ｄ(x+1,y)の画素情報Ｐ３に係る透過光Ｔ３の進行方向とほぼ同じになる。これにより、図１０に示したように、透過光分布ＤＴ３に対応した位置に、屈曲光Ｄ３に基づく屈曲光分布ＤＤ３が現れる。このように、立体表示装置１では、屈曲光Ｄ３と、その屈曲光Ｄ３とほぼ同じ方向に進む透過光Ｔ３とは、同じ視点映像（３番目の視点映像）における互いに異なる画素情報Ｐ３から生じるようになっている。
【００５６】
図１１（Ａ）は、観察者が３番目の視点映像を見る場合の立体表示装置１の動作例を模式的に表すものであり、図１１（Ｂ）は、観察者が５番目の視点映像を見る場合の立体表示装置１の動作例を模式的に表すものである。また、図１２は、観察者が、表示画面の正面からずれた方向から３番目の視点映像を見る場合の立体表示装置１の動作例を模式的に表すものである。
【００５７】
観察者が３番目の視点映像を見る場合には、図１１（Ａ）に示したように、各画素情報Ｐ３に係る光は、光を射出した画素Ｐixに対応する位置に配置された開閉部１２を透過し、表示画面の法線方向に向かって透過光Ｔ３として直進するとともに、その光の一部が開閉部１２で屈曲され、表示画面の法線方向から屈曲角θｄだけずれた方向に向かって屈曲光Ｄ３として進む。このとき、図１１（Ａ）に示したように、透過光Ｔ３の進行方向と屈曲光Ｄ３の進行方向とが互いに異なるため、表示面の正面から観察する観察者は透過光Ｔ３のみを観察することとなり、屈曲光Ｄ３を観察することはない。
【００５８】
同様に、観察者が５番目の視点映像を見る場合には、図１１（Ｂ）に示したように、各画素情報Ｐ５に係る光は、開閉部１２を透過して、表示画面の法線方向から角度θｔだけずれた方向に向かって透過光Ｔ５として直進する。また、各画素情報Ｐ３に係る光の一部は、開閉部１２で屈曲され、表示画面の法線方向から屈曲角θｄだけずれた方向に向かって屈曲光Ｄ３として進む。この場合でも、図１１（Ｂ）に示したように、透過光Ｔ５の進行方向と屈曲光Ｄ３の進行方向とが互いに異なるため、角度θｔの方向から観察する観察者は透過光Ｔ５のみを観察することとなり、屈曲光Ｄ３を観察することはない。
【００５９】
一方、図１２に示したように、観察者が表示画面の正面からずれた位置から３番目の視点映像を見る場合には、各画素情報Ｐ３に係る光は、この例では、光を射出した画素Ｐixの正面に配置された開閉部１２ではなく、その開閉部１２の隣の開閉部１２を透過し、表示画面の法線方向から角度θｔだけずれた方向に向かって透過光Ｔ３として直進する。また、各画素情報Ｐ３に係る光の一部は、その画素Ｐixに対応する位置に配置された開閉部１２で屈曲され、屈曲角θｄの方向に向かって屈曲光Ｄ３として進む。このとき、これらの透過光Ｔ３と屈曲光Ｄ３の進行方向がほぼ一致している。すなわち、屈曲角θｄは、以下の式で表される。
θｄ 〜 θｔ      ・・・（２）
言い換えれば、液晶バリア部１０における枝部分６３の水平ピッチｓは、式（１），（２）より得られた次式を満たす。
Sin-1(λ/ｓ) 〜 θｔ      ・・・（Ａ）
これにより、角度θｔの方向から観察する観察者は、透過光Ｔ３と屈曲光Ｄ３の両方を観察することとなる。ここで、透過光Ｔ３に係る画素情報Ｐ３と、屈曲光Ｄ３に係る画素情報Ｐ３とは、上述したように、同じ視点映像（３番目の視点映像）に属する、互いに異なる画素Ｐixに表示されたものである。すなわち、例えば屈曲光Ｄ３の光の強度が透過光Ｔ３に比べて無視できないレベルである場合であっても、透過光Ｔ３に係る画素情報Ｐ３と、屈曲光Ｄ３に係る画素情報Ｐ３とが、同じ視点映像に属するものであり、異なる視点映像に属するものではないため、比較例と対比して後述するように、異なる視点映像が混ざり合う、いわゆるクロストークが生じるおそれを低減することができる。
【００６０】
角度θｔは、ピクセルピッチＰと距離ｄを用いて、次式のように表すことができる。
θｔ ＝ Tan-1(n・P/d)      ・・・（３）
ここで、ｎは視点映像の視点数であり、この例では５である。よって、立体表示装置１では、式（２），（３）により、屈曲光Ｄ３の屈曲角θｄが以下の式を満たすようになっている。
θｄ 〜 Tan-1(n・P/d)       ・・・（４）
言い換えれば、水平ピッチｓは、水平ピッチｓは、式（Ａ），（３）より得られた次式を満たすようになっている。
Sin-1(λ/ｓ) 〜 Tan-1(n・P/d)      ・・・（５）
【００６１】
なお、図１２に示したような場合には、透過光Ｔ３に係る画素情報Ｐ３と、屈曲光Ｄ３に係る画素情報Ｐ３とは、互いに異なる画素Ｐixに表示されたものであるため、同じ映像が、その表示位置をずらして複数表示されるおそれがある。この場合には、観察者は、その表示映像に、いわゆるゴーストを観察することとなる。しかしながら、図１２に示したように、混ざり合う画素情報は、互いに隣接する立体画素情報Ｐ３Ｄにおける、同じ視点映像（３番目の視点映像）に関するもの（画素情報Ｐ３）であるため、その表示映像のずれ量は少ないので、さほど画質は劣化しない。また、立体視表示を行う場合には、クロストークが画質劣化の主要因であり、このクロストークをいかに抑えるかが重要であるため、立体表示装置１は、ゴーストによる画質劣化がさほど問題ない場合に適用することができる。
【００６２】
このように、立体表示装置１では、同じ視点映像における互いに異なる画素情報Ｐ３に係る屈曲光Ｄ３と透過光Ｔ３とが、ほぼ同じ方向に進む。ここで、この屈曲光Ｄ３の進行方向、および透過光Ｔ３の進行方向は、必ずしも完全に一致している必要はない。以下に、屈曲光Ｄ３の進行方向と、透過光Ｔ３の進行方向との関係について説明する。
【００６３】
図１３は、屈曲光Ｄ３の進行方向の許容範囲を表すものである。この例では、説明の便宜上、表示部２０は、５つの視点映像のうち３つ目の視点映像（画素情報Ｐ３）のみを表示し、液晶バリア部１０は、複数の開閉部１２のうちの、一つの開閉部１２だけを透過状態にしている。
【００６４】
上述したように、３番目の視点映像に係る画素情報Ｐ３に係る光が開閉部１２において屈曲された場合、クロストークの観点から、その屈曲光Ｄ３の進行方向は、透過光Ｔ３の進行方向とほぼ一致することが望ましい。言い換えれば、屈曲光Ｄ３の進行方向は、３番目以外の視点映像に係る画素情報Ｐ１，Ｐ２，Ｐ４，Ｐ５の透過光Ｔ１，Ｔ２，Ｔ４，Ｔ５の進行方向と異なるようにする必要がある。具体的には、図１３に示したように、屈曲光Ｄ３が、透過光Ｔ３に係る透過光分布ＤＴ３の範囲ＲＤＴ３の範囲内に進むようにする必要がある。ここで、範囲ＲＤＴ３は、透過光分布ＤＴ２と透過光分布ＤＴ３との境界から、透過光分布ＤＴ３と透過光分布ＤＴ４との境界までの範囲である。すなわち、屈曲光Ｄ３の屈曲角θｄは、次式を満たす必要がある。
θ１ ≦ θｄ ≦ θ２      ・・・（６）
言い換えれば、水平ピッチｓは、式（１），（６）より得られた次式を満たす必要がある。
θ１ ≦ Sin-1(λ/ｓ) ≦ θ２      ・・・（Ｂ）
ここで、θ１は、透過光分布ＤＴ２と透過光分布ＤＴ３との境界に対応する角度であり、θ２は、透過光分布ＤＴ３と透過光分布ＤＴ４との境界に対応する角度である。具体的には、角度θ１，θ２は、次式で表される。
θ１ ＝ Tan-1((n-1/2)・P/d)      ・・・（７）
θ２ ＝ Tan-1((n+1/2)・P/d)      ・・・（８）
【００６５】
式（６），（７），（８）により、屈曲光Ｄ３の屈曲角θｄが満たすべき式は、以下のようになる。
Tan-1((n-1/2)・P/d) ≦ θｄ ≦ Tan-1((n+1/2)・P/d)      ・・・（９）
言い換えれば、水平ピッチｓは、式（１），（９）より得られた次式を満たす必要がある。
Tan-1((n-1/2)・P/d) ≦ Sin-1(λ/ｓ) ≦ Tan-1((n+1/2)・P/d)      ・・・（１０）
【００６６】
このように、立体表示装置１では、視点数ｎ、ピクセルピッチＰ、距離ｄ、水平ピッチｓ、波長λが式（１０）を満たすことにより、屈曲光Ｄ３の進行方向が、透過光Ｔ３の進行方向とほぼ同じにすることができ、クロストークにより画質が低下するおそれを低減することができる。
【００６７】
（比較例）
次に、比較例と対比して、本実施の形態の作用を説明する。本比較例に係る立体表示装置１Ｒは、視点数ｎ、ピクセルピッチＰ、距離ｄ、水平ピッチｓ、波長λが式（１０）を満たさないものである。
【００６８】
図１４は、立体表示装置１Ｒにおいて、光が屈曲する場合の例を模式的に表すものである。この例では、各画素情報Ｐ３の光は、開閉部１２において屈曲し、表示画面の法線方向から屈曲角θｄｒだけずれた方向に向かって、屈曲光Ｄ３として進む。その際、立体表示装置１Ｒでは、図１４に示したように、屈曲光Ｄ３は、透過光Ｔ３の進行方向とは異なる方向に進む。これにより、図１４に示したように、透過光分布ＤＴ３の間に屈曲光分布ＤＤ３が現れる。
【００６９】
図１５は、観察者が５番目の視点映像を見る場合の立体表示装置１Ｒの動作例を模式的に表すものである。図１５に示したように、各画素情報Ｐ５に係る光は、開閉部１２を透過して、表示画面の法線方向から角度θｔｒだけずれた方向に向かって透過光Ｔ５として直進する。この例では、屈曲角θｄｒと角度θｔｒとが互いに等しくなっている。すなわち、３番目の視点映像に係る画素情報Ｐ３の屈曲光Ｄ３の進行方向と、５番目の視点映像に係る画素情報Ｐ５の透過光Ｔ５の進行方向とが、互いに等しくなっている。このとき、角度θｔの方向から観察する観察者は、透過光Ｔ５を観察する際、同時に屈曲光Ｄ３をも観察してしまう。つまり、立体表示装置１Ｒでは、互いに異なる視点映像である、ずれ量が大きい３番目の視点映像と５番目の視点映像とが混ざり合って表示されることとなる。このように、立体表示装置１Ｒでは、観察者は、異なる視点映像が混ざり合ったものを観察してしまうため、クロストークによる画質低下を感じてしまうおそれがある。
【００７０】
一方、本実施の形態に係る立体表示装置１では、図１０〜１２に示したように、３番目の視点映像に係る画素情報Ｐ３の屈曲光Ｄ３の進行方向と、その同じ３番目の視点映像に係る画素情報Ｐ３の透過光Ｔ３の進行方向とが、互いにほぼ等しくなっている。すなわち、透過光Ｔ３に係る画素情報Ｐ３と、屈曲光Ｄ３に係る画素情報Ｐ３とが、同じ視点映像に属するものであり、異なる視点映像に属するものではないため、クロストークが生じるおそれを低減することができる。
【００７１】
［効果］
以上のように本実施の形態では、屈曲光と、その屈曲光とほぼ同じ方向に進む透過光とが、同じ視点映像における互いに異なる画素情報から生じるようにしたので、クロストークを低減することができ、画質の低減を抑えることができる。
【００７２】
［変形例１−１］
上記実施の形態では、図１０に示したように、立体画素情報Ｐ３Ｄ(x,y)の画素情報Ｐ３に係る屈曲光Ｄ３の進行方向が、立体画素情報Ｐ３Ｄ(x,y)の隣の立体画素情報Ｐ３Ｄ(x+1,y)の画素情報Ｐ３に係る透過光Ｔ３の進行方向とほぼ同じにしたが、これに限定されるものではない。これに代えて、例えば、図１６, １７に示したように、立体画素情報Ｐ３Ｄ(x,y)の画素情報Ｐ３に係る屈曲光Ｄ３の進行方向が、立体画素情報Ｐ３Ｄ(x,y)の２つ隣の立体画素情報Ｐ３Ｄ(x+2,y)の画素情報Ｐ３に係る透過光Ｔ３の進行方向とほぼ同じにしてもよい。この場合、角度θ１，θ２は、次式で表される。
θ１ ＝ Tan-1((2・n-1/2)・P/d)      ・・・（１１）
θ２ ＝ Tan-1((2・n+1/2)・P/d)      ・・・（１２）
この場合でも、上記実施の形態と同様に、クロストークを低減することができ、画質の低下を抑えることができる。
【００７３】
以上、いくつかの実施の形態および変形例を挙げて本技術を説明したが、本技術はこれらの実施の形態等には限定されず、種々の変形が可能である。
【００７４】
例えば、上記の実施の形態等では、立体視表示を行う場合において、開閉部１２を常に開状態にしたが、これに限定されるものではなく、これに代えて、例えば、開閉部１２を複数のグループにグループ分けして、グループ間で時分割的に開閉駆動するようにしてもよい。例えば、開閉部１２を２つのグループにグループ分けし、グループ間で交互に開閉動作させた場合には、立体表示装置の解像度を２倍に高めることができる。
【００７５】
また、例えば、上記の実施の形態等では、立体表示装置は、立体視表示を行う場合において、５つの視点映像を表示したが、これに限定されるものではなく、これに代えて、６つ以上の視点映像を表示してもよいし、４つ以下の視点映像を表示してもよい。
【００７６】
また、例えば、上記の実施の形態等では、開閉部１１，１２は、Ｙ方向に延在するように形成したが、これに限定されるものではなく、これに代えて、例えば、図１８に示したように、垂直方向Ｙから所定の角度θをなす方向に延在するように形成してもよい。角度θは、例えば１８度に設定可能である。この場合、透明電極層１５は、例えば図１９のように形成可能である。なお、この場合には、上記実施の形態における水平ピッチｓの代わりに、開閉部１１，１２の延伸方向と垂直な方向における、枝部分６３Ｂのピッチｓｓ（図１９）が用いられる。また、上記実施の形態における図１０〜１３を本変形例に適用する場合には、これらの図は、開閉部１１，１２の延伸方向と垂直な方向、およびその表示面の法線方向を含む面で切断したときの断面図を用いて説明したものとして解釈する必要がある。
【００７７】
なお、本技術は以下のような構成とすることができる。
【００７８】
（１）互いに異なる複数の視点画像の各画素情報を、表示面においてその複数の視点画像間で巡回するような順番で配置してそれぞれ表示する表示部と、
第１の方向に延伸するとともにその第１の方向と交差する第２の方向に並設され、それぞれが、並設された複数の枝状電極を含んで構成された、開状態と閉状態とを切り換え可能な複数の液晶バリアを有するバリア部と
を備え、
前記枝状電極の前記第２の方向におけるピッチｓが、次の式（Ａ）を満たす
表示装置。
Sin-1(λ/ｓ) 〜 θｔ  ・・・  （Ａ）
ただし、
λは、開状態になっている一の液晶バリアを透過する光の波長であり、
θｔは、前記第２の方向と前記表示面の法線方向とを含む面内における、開状態になっている複数の液晶バリアのうちの前記一の液晶バリアとは異なる他の液晶バリアに対応する位置に配置された一の画素と前記一の液晶バリアとを結ぶ線と、前記法線方向との間の角度である。
【００７９】
（２）開状態になっている複数の液晶バリアのうち、前記一の液晶バリアは前記他の液晶バリアと隣り合っている
前記（１）に記載の表示装置。
【００８０】
（３）前記ピッチｓが、次の式（Ｂ）を満たす
請求項１に表示装置。
θ１ ＜ Sin-1(λ/ｓ) ＜ θ２  ・・・  （Ｂ）
ただし、
θ１は、前記一の画素と隣接する画素との間の境界部分のうちの前記第２の方向における一方の境界部分と前記一の液晶バリアとを結ぶ線と、前記法線方向との間の角度であり、
θ２は、前記一の画素の前記第２の方向における他方の境界部分と前記一の液晶バリアを結ぶ線と、前記法線方向との間の角度である。
【００８１】
（４）前記第１の方向と前記第２の方向は、互いに垂直である
前記（１）から（３）のいずれかに表示装置。
【００８２】
（５）前記バリア部は、複数の第１系列の液晶バリアおよび複数の第２系列の液晶バリアを有する
前記（１）から（４）のいずれかに記載の表示装置。
【００８３】
（６）３次元映像表示モードおよび２次元映像表示モードを含む複数の表示モードを有し、
前記３次元映像表示モードでは、前記表示部が前記複数の視点画像を表示し、前記複数の第１系列の液晶バリアが透過状態になるとともに、前記複数の第２系列の液晶バリアが遮断状態になることにより、３次元映像を表示する
前記（５）に記載の表示装置。
【００８４】
（７）前記複数の第１系列の液晶バリアは、複数のバリアグループにグループ分けされ、
前記３次元映像表示モードでは、前記複数の第１系列の液晶バリアは、バリアグループごとに、時分割的に開状態および閉状態との間で切り換わる
前記（６）に記載の表示装置。
【００８５】
（８）３次元映像表示モードおよび２次元映像表示モードを含む複数の表示モードを有し、
前記２次元映像表示モードでは、前記表示部が１つの視点画像を表示し、前記複数の第１系列の液晶バリアおよび前記複数の第２系列の液晶バリアが透過状態になることにより、２次元映像を表示する
前記（５）から（７）のいずれかに記載の表示装置。
【００８６】
（９）バックライトをさらに備え、
前記表示部は液晶表示部であり、
前記液晶表示部は、前記バックライトと前記バリア部との間に配置されている
前記（５）から（８）のいずれかに記載の表示装置。
【００８７】
（１０）互いに異なる複数の視点画像の各画素情報を、表示面においてその複数の視点画像間で巡回するような順番で配置してそれぞれ表示する表示部と、
光を透過する複数の透過部分と光を遮蔽する複数の遮蔽部分とが並設されたバリア部と
を備え、
前記複数の視点画像のうちの一の視点画像に係る光であって、前記複数の透過部分のうちの一の透過部分に対応する位置に配置された画素から射出し前記一の透過部分を透過した第１の光が、前記一の視点画像に係る、前記複数の透過部分のうちの前記一の透過部分とは異なる他の透過部分に対応する位置に配置された画素から射出し前記一の透過部分を直進する第２の光の直進方向に沿うように屈曲する
表示装置。
【００８８】
（１１）前記一の透過部分は前記他の透過部分と隣り合っている
前記（１０）に記載の表示装置。
【符号の説明】
【００８９】
１，１Ａ，１Ｂ…立体表示装置、１０…液晶バリア部、１１，１２…開閉部、１４…偏光板、１５…透明電極層、１６…透明基板、１７…透明電極層、１８…偏光板、１９…液晶層、２０…表示部、３０…バックライト、４１…制御部、４２…バックライト駆動部、４３…バリア駆動部、５０…表示駆動部、５１…タイミング制御部、５２…ゲートドライバ、５３…データドライバ、６１，６２…幹部分、６３…枝部分、７０…サブ電極領域、７１〜７４…枝領域、１１０，１２０…透明電極、２０１…透明基板、２０２…画素電極、２０３…液晶層、２０４…対向電極、２０５…透明基板、２０６ａ，２０６ｂ…偏光板、２０７…駆動基板、２０８…対向基板、Ｃｓ…保持容量素子、ＣＢＲ…バリア制御信号、ＣＢＬ…バックライト制御信号、ＣＳＬ…保持容量線、ｄ…距離、Ｄ３…屈曲光、ＤＤ３…屈曲光分布、ＤＴ３…透過光分布、ＧＣＬ…ゲート線、ＬＣ…液晶素子、Ｐ…ピクセルピッチ、Ｐ１〜Ｐ５…画素情報、Ｐix…画素、Ｐ３Ｄ…立体画素情報、ＲＤＴ３…範囲、ｓ…水平ピッチ、Ｓ，Ｓdisp，Ｓ２Ｄ，Ｓ３Ｄ…映像信号、ＳＧＬ…データ線、ＳＰix…サブ画素、Ｔｒ…ＴＦＴ素子、Ｔ１〜Ｔ５…透過光、θｄ…屈曲角、θｔ，θ１，θ２…角度。
【図１】
2013025111.tif 000003
【図２】
2013025111.tif 000004
【図３】
2013025111.tif 000005
【図４】
2013025111.tif 000006
【図５】
2013025111.tif 000007
【図６】
2013025111.tif 000008
【図７】
2013025111.tif 000009
【図８】
2013025111.tif 000010
【図９】
2013025111.tif 000011
【図１０】
2013025111.tif 000012
【図１１】
2013025111.tif 000013
【図１２】
2013025111.tif 000014
【図１３】
2013025111.tif 000015
【図１４】
2013025111.tif 000016
【図１５】
2013025111.tif 000017
【図１６】
2013025111.tif 000018
【図１７】
2013025111.tif 000019
【図１８】
2013025111.tif 000020
【図１９】
2013025111.tif 000021